(57)【要約】      （修正有）【課題】ＬＥＤを使用するにも関わらず照射面積を広くすることができる防犯灯を提供する。【解決手段】防犯灯１は、太陽光パネル部１０を備えると共に地上に立設される支持柱２と、この支持柱２に設けられ太陽光パネル部１０で発電された電力を蓄電し、かつ交流電気として送り出す電源供給部と、支持柱２の上部で横方向に延出した横梁部材２６と、この横梁部材２６の先端領域部に設けられ複数のＬＥＤランプ７を取付けるランプ取付け板５５を有するランプ保持機構４と、太陽光パネル部１０から電源供給部を経由して複数のＬＥＤランプ７にわたって配線されたケーブル３３と、を備えて構成され、ランプ保持機構４は、ランプ取付け板５５の取付け中心Ｐに対して水平面内で回転可能とされている。【選択図】図３
2012238475.tif 000002
【特許請求の範囲】
【請求項１】
太陽光パネル部を備えると共に地上に立設される支持柱と、
この支持柱に設けられ前記太陽光パネル部で発電された電力を蓄電し、かつ交流電力として送り出すＬＥＤ用電源供給部と、
前記支持柱の上部で横方向に延設した横梁部材と、
この横梁部材の先端領域部に設けられ複数のＬＥＤランプを保持するランプ保持機構と、を備え、
前記ランプ保持機構が、予め設けられたランプ取付け板を水平面内で回転自在に保持することを特徴とする防犯灯。
【請求項２】
請求項１に記載した防犯灯において、
前記ランプ保持機構を、
前記横梁部材の先端に水平に固着されたベース部材と、
このベース部材に回転自在に保持されると共に当該ベース部材に上方から下方にわたって配設された回転機構部と、を備えて構成し、
この回転機構部の下端部に前記ランプ取付け板を連結したことを特徴とする防犯灯。
【請求項３】
請求項２に記載した防犯灯において、
前記回転機構部を、
前記ベース部材を貫通しかつ軸受け４２を介して回転自在に配置されたパイプ部材と、前記パイプ部材の上端に設けられたロータリ・コネクタと、を備えて構成し、
前記パイプ部材の下端部に前記ランプ取付け板用の取付け部を設け、
前記ロータリ・コネクタの中心部を、固定機構部を介して前記ベース部材に固定したことを特徴とする防犯灯。
【請求項４】
請求項２または請求項３に記載した防犯灯において、
前記回転機構部を駆動するランプ回転駆動機構を、前記横梁部材の先端領域部で前記ランプ保持機構に併設し、
前記ランプ回転駆動機構を、
前記ベース部材に保持された減速機付モータ６１と、この減速機付モータ６１の回転駆動力を前記ランプ取付け板に伝達する回転力伝達機構６２と、を備えて構成したことを特徴とする防犯灯。
【請求項５】
請求項４に記載した防犯灯において、
前記回転力伝達機構６２を、
前記減速機付モータ６１に装備された原動用スプロケットと、
前記ランプ取付け板に連結された従動用スプロケットと、
前記各スプロケット相互間を連結する動力伝達部材と、を備えて構成したことを特徴とする防犯灯。
【請求項６】
請求項１ないし請求項３のいずれか一つに記載した防犯灯において、
前記複数のＬＥＤランプを３個のＬＥＤランプで構成すると共に、これらのＬＥＤランプを前記ランプ取付け板の外周部に等間隔で配置したことを特徴とする防犯灯。
【請求項７】
請求項６に記載した防犯灯において、
前記ランプ取付け板の外周部に前記３個のＬＥＤランプをそれぞれ取付けるランプ取付け部を設け、これらの各ランプ取付け部を前記ランプ取付け板の平面部に対して下方に向けて折り曲げ形成したことを特徴とする防犯灯。
【請求項８】
請求項１ないし請求項７のいずれか一つに記載した防犯灯において、
前記支持柱と前記ランプ保持機構との間に配置され設定された時間に自動的にオン・オフ切り替えを行うスイッチ部と、を備えて構成したことを特徴とする防犯灯。
【請求項９】
請求項６ないし請求項８のいずれか一つに記載した防犯灯において、
前記ランプ取付け板の取付け中心から前記３個のＬＥＤランプのランプ部中心までの取付け寸法を等しい距離に設定したことを特徴とする防犯灯。
【請求項１０】
請求項６ないし請求項８のいずれか一つに記載した防犯灯において、
前記ランプ取付け板の取付け中心から前記３個のＬＥＤランプのランプ部中心までの取付け寸法をそれぞれ異なる距離に設定したことを特徴とする防犯灯。
【発明の詳細な説明】
【技術分野】
【０００１】
本発明は防犯灯に係り、さらに詳しくは、外部電源のない所に設置することができると共にＬＥＤ照明灯を使用するにも関わらず照射面積を広くすることができる防犯灯に関する。
【背景技術】
【０００２】
従来、各地の道路や公園等には、街路灯や防犯灯等の屋外用照明器具装置が設置されている。
上記屋外用照明器具装置における光源としては、一般に、白熱電球や水銀灯や蛍光灯等が用いられていた。
【０００３】
そして、近年では、長寿命化やエコ化、地球温暖化防止等の観点から、白熱電球等に替わる光源として、ＬＥＤ（Ｌｉｇｈｔ  Ｅｍｉｔｔｉｎｎｇ  Ｄｉｏｄｏ）を用いた屋外用照明器具が提案されている（例えば特許文献１参照）。
この特許文献１に開示された屋外用照明器具では、複数の白色ＬＥＤおよび青色ＬＥＤを同時に照射できるような構成となっている。
【０００４】
さらに、ＬＥＤを使用すると共に外部電源を必要とせずに設置できる多機能防犯灯が開発されている（例えば特許文献２参照）。
この特許文献２に開示された多機能防犯灯では、太陽電池モジュールで昼間充電した電気を蓄電池に充電し、その蓄電池からの電気により、ＬＥＤ照明灯を駆動させるような構成となっている。
【先行技術文献】
【特許文献】
【０００５】
【特許文献１】特開２００８−１３５３８１号公報
【特許文献２】実用新案登録第３１５１５２９号公報
【発明の概要】
【発明が解決しようとする課題】
【０００６】
しかしながら、前記特許文献１に開示された屋外用照明器具では、複数の白色ＬＥＤおよび青色ＬＥＤを装備した灯具本体が支持柱２に設けられているが、白色ＬＥＤ等は光が拡散しないうえ灯具本体が固定されているので、照射面積が狭いという問題がある。
【０００７】
また、前記特許文献２に開示された多機能防犯灯では、前述のように、太陽電池モジュールで昼間充電した電気を蓄電池に充電し、その蓄電池からの電気により、ＬＥＤ照明灯を駆動させるような構成となっているが、ＬＥＤ照明灯そのものは、支支持柱２２に固定された状態であり、前記特許文献１に開示された屋外用照明器具と同様の問題がある。すなわち、ＬＥＤ照明灯が固定されているので、照射面積が狭いという問題がある。
【０００８】
本発明の目的は、上述した課題を解決するために、ＬＥＤを使用するにも関わらず照射面積を広くすることができる防犯灯を提供することである。
【課題を解決するための手段】
【０００９】
前記目的を達成するために、本願発明の防犯灯は、太陽光パネル部を備えると共に地上に立設される支持柱と、この支持柱に設けられ前記太陽光パネル部で発電された電力を蓄電し、かつ交流電力として送り出すＬＥＤ用電源供給部と、前記支持柱の上部で横方向に延設した横梁部材と、この横梁部材の先端領域部に設けられ複数のＬＥＤランプを保持するランプ保持機構と、を備え、前記ランプ保持機構が予め設けられたランプ取付け板を水平面内で回転自在に保持することを特徴とする。
【発明の効果】
【００１０】
本願発明の防犯灯によれば、ランプ保持機構により、複数のＬＥＤランプを取付けたランプ取付け板が水平面内で回転するので、例えＬＥＤランプの光の拡散が小さく一つ一つのＬＥＤランプの照射面積が狭くても、回転する複数のＬＥＤランプにより連続した光が形成される。その結果、ＬＥＤを使用するにも関わらず照射面積を広くすることができる。
また、複数のＬＥＤランプを取付けたランプ取付け板が水平面内で回転するので、見た目にも面白く、初めて見た人は立ち止まって見上げる等、注目度も上がり、防犯上も優れたものとなる。
【図面の簡単な説明】
【００１１】
【図１】本発明に係る防犯灯の第１実施形態を示し防犯灯の全体構成を示すブロック図である。
【図２】前記実施形態の防犯灯を示す全体正面図である。
【図３】前記実施形態の防犯灯の要部を示す正面図である。
【図４】図３におけるIV−IV線に沿った一部断面の平面図である。
【図５】前記実施形態の防犯灯の要部を示す縦断面図である。
【図６】図５におけるVI矢視で蓋を取り外した端子ボックスを示す図である。
【図７】本発明に係る防犯灯の第２実施形態における防犯灯の要部を示す正面図である。
【図８】図７におけるVIII−VIII線に沿った一部断面の平面図である。
【発明を実施するための形態】
【００１２】
以下に、図１〜図６を参照して、本発明に係る防犯灯の第１実施形態を説明する。
【００１３】
まず、図１、図２に基づいて、上記第１実施形態の防犯灯の全体構成を説明する。
本実施形態の防犯灯１は、太陽光パネル部１０を備えると共に地上に立設される支持柱２と、この支持柱２に設けられ太陽光パネル部１０で発電された電力を蓄電し、かつ交流電力として送り出すＬＥＤ用電源供給部３と、上記支持柱２の上部で横方向に延設した横梁部材２６と、この横梁部材２６の先端領域部に設けられ複数（本実施形態では３個）のＬＥＤランプ７を保持するランプ保持機構４と、このランプ保持機構４等を覆うカバー部材８と備えて構成されている。
【００１４】
そして、ランプ保持機構４は、予め３個のＬＥＤランプ７が取付けられているランプ取付け板５５を、当該ランプ取付け板５５の取付け中心Ｐの周りを水平面内で回転可自在に保持することができる。つまり、本発明では、３個のＬＥＤランプ７が、水平面内で回転自在となっている。
【００１５】
図２に示すように、支持柱２２は、下部柱２０と上部柱２１とで構成されている。
下部柱２０は、例えば角パイプで形成されると共に、その下部が地中に埋め込まれ、さらにベースプレート２５がアンカーボルト２２により固定されている。
上部柱２１は例えば丸パイプで形成されている。そして、下部柱２０と上部柱２１とは、下部柱２０の上端に固定されたフランジ２３と、上部柱２１の下端に固定されたフランジ２４とを介して相互に固定されている。
【００１６】
支持柱２２の下部柱２０には前記電源供給部３が設けられている。
この電源供給部３は、太陽光パネル部１０で発電された電力を制御する充電制御器（コンバータ）３０と、その電力を蓄電すると共に繰り返し使用できるバッテリー３１と、電気の直流を交流に変換し、交流電力として出力するインバータ３２と、上記各部材３０，３１，３２等を接続するために配線されたケーブル３３等を備えて構成されている。
これらのコンバーター３０、２つのバッテリー３１，３１およびインバータ３２は、それぞれが、支持柱２２の下部柱２０内に設けられた支持部材（図略）により支持されている。
【００１７】
また、支持柱２２の上部には、前記太陽光パネル部１０が設けられている。
太陽光パネル部１０は、上部柱２１の上端に固定された枠体１１と、この枠体１１に取付けられた太陽光パネル本体１２とで構成されている。
そして、上記枠体１１は、太陽光をより効率よく受けられるように、太陽光パネル本体１２の取付け角度の調整ができる構成となっている。
【００１８】
前記支持柱２２における上部柱２１の上部には、当該上部柱２１と略直交して横方向に延設された横梁部材２６が取り付けられている。
この横梁部材２６は例えば丸パイプで形成されている。また、横梁部材２６と上部柱２１とは、横梁部材２６の下面と上部柱２１の側面とにわたって設けられた補強リブ２７によって補強されている。
【００１９】
横梁部材２６の途中にはスイッチ部１５が設けられている。
スイッチ部１５は、外気の明るさに対応してスイッチオン・スイッチオフが自動的に行われるような構成となっており、その時間の設定ができるようになっている。
例えば、季節に応じて１６時〜２０時にスイッチが入り、朝の５時〜６時にスイッチが切れるように設定することができる。
スイッチ部１５には、支持柱２２内に配線され、かつ前記インバータ３２を経由した電源ケーブル３３が横梁部材２６の途中から引き出されて接続されると共に、スイッチ部１５を経由した電源ケーブル３３は、横梁部材２６内に戻され、前記ランプ保持機構４側に向けて配線されている。
【００２０】
前記ランプ保持機構４は、図３〜図５に示すように、上記横梁部材２６の先端領域部に設けられている。
すなわち、ランプ保持機構４は、横梁部材２６の先端下部に設けられ、かつ当該横梁部材２６の先端に水平に延びたベース部材４０を備えて構成され、このベース部材４０は、長方形の板部材で形成されている。
ベース部材４０には、下端部に前記ランプ取付け板５５が連結された回転機構部５が上方から下方にわたって配設され、かつ回転自在に保持されている。
【００２１】
上記回転機構部５は、図５に詳細を示すように、ベース部材４０を貫通して設けられたパイプ部材４３と、ベース部材４０に取付けられると共に上記パイプ部材４３を回転自在に支持する菱フランジ形軸受４２，４２と、パイプ部材４３の上端に設けられたロータリ・コネクタ４４（回転持続コネクタ）と、このロータリ・コネクタ４４の外筒部４４Ｂを一体的に収納するロータリ・コネクタ用のカップリング４５と、を備えて構成されている。
そして、パイプ部材４３の下端部には、ランプ取付け板５５の取付け部である円板状フランジ４７が設けられている。
【００２２】
上記菱フランジ形軸受４２，４２は、ユニット用玉軸受と菱形のフランジを持つ軸受箱を組み合わせた軸受ユニットであり、外輪部４２Ａと軸受の中心部である内輪部４２Ｂとを有する構造である。
そして、外輪部４２Ａがベース部材４０に固着され、内輪部４２Ｂにパイプ部材４３が一体になった状態で固着されている。したがって、内輪部４２Ｂとパイプ部材４３とが回転自在となっている。
さらに、菱フランジ形軸受４２，４２の上下方向のそれぞれの端部は、パイプ部材４３の外周に装着された軸受押さえ４６により位置決めされている。
【００２３】
パイプ部材４３の上端部には、前述のように、ロータリ・コネクタ用カップリング４５が固着されている。また、このカップリング４５の内部には、前記ロータリ・コネクタ４４が収納され、かつカップリング４５の外周からねじ込まれたビスによりカップリング４５に取付けられ、これにより、両者４５，４４は一体的に構成されている。
【００２４】
ここで、ロータリ・コネクタ４４は、内筒部分４４Ａと外筒部分４４Ｂとが相対的に回転自在な構造となっており、その内部に封入された水銀を介在させて接続するタイプのコネクタである。そして、外筒部分４４Ｂがロータリ・コネクタ用カップリング４５と一体化して前記取付け中心Ｐの周りを回転するようになっている。
【００２５】
また、パイプ部材４３の下端部に設けられた前記円板状フランジ４７と前記軸受押さえ４６との間には、後で詳述する回転力伝達機構６２を構成する従動用スプロケット６４と、スペーサ６６とが配設されている。
そして、前記菱フランジ形軸受４２、パイプ部材４３、円板状フランジ４７等の各部材の他、上記従動用スプロケット６４およびスペーサ６６を含んで前記回転機構部５が構成されている。
【００２６】
前記ロータリ・コネクタ４４の中心部、つまり、内筒部分４４Ａは固定機構部６を介して前記ベース部材４０に固定されている。
すなわち、固定機構部６は、上記ロータリ・コネクタ４４の内筒部４４Ａと、この内筒部４４Ａに固定用リング５１を介して設けられた回転止め用ストッパ部５２と、この回転止め用ストッパ部５２と当接して内筒部４４Ａの回転を防止するストッパ部材５３と、を備えて構成されている。
回転止め用ストッパ部５２は短冊状板部材で形成され、固定用リング５１に横方向に突出して設けられている。
一方、上記ストッパ部材５３は板部材で断面Ｌ字状に形成され、上端部には、上記回転止め用ストッパ部５２と当接する当接部５３Ａが形成されている。
【００２７】
これにより、ロータリ・コネクタ４４の外筒部分４４Ｂがロータリ・コネクタカップリング４５等と共に回転する際、それに連れて、ロータリ・コネクタ４４の内筒部分４４Ａも回転しようとするが、回転止め用ストッパ５２がストッパ部材５３の当接部５３Ａに当接するので、ロータリ・コネクタ４４の内筒部分４４Ａが固定された状態となる。
その結果、ロータリ・コネクタ４４の内筒部分４４Ａに接続された電源ケーブル３３Ａの捩れを防止することができる。
【００２８】
前記回転機構部５は、前記横梁部材２６の先端領域部で前記ランプ保持機構４に併設されているランプ回転駆動機構６０により駆動されるようになっている。
すなわち、ランプ回転駆動機構６０は、図３に示すように、前記ベース部材４０にモータ載置板６７を介して保持された減速機付モータ６１と、この減速機付モータ６１の回転駆動力を前記ランプ取付け板５５に伝達する回転力伝達機構６２と、を備えて構成されている。
ここで、減速機付モータ６１は、ベース部材４０の先端部下面に設けられ前方に延設された上記モータ載置板６７に設置されている。
【００２９】
そして、回転力伝達機構６２が、減速機付モータ６１に装備された原動用スプロケット６３と、ランプ取付け板５５に前記円板状フランジ４７およびスペーサ６６を介して連結された従動用スプロケット６４と、各スプロケット６３，６４相互間を連結する動力伝達部材であるチェーン６５と、を備えて構成されている。
【００３０】
上記ベース部材４０およびモータ載置板６７は、図４に示すように、平面長方形の板部材で形成されており、モータ載置板６７は、ベース部材４０に対してスライド可能となっている。
【００３１】
すなわち、モータ載置板６７の一端には、図５に示すように、横梁部材２６の長手方向に沿って形成された長孔６７Ａが形成されており、これに対してベース部材４０には上記長孔６７Ａに対応してねじ孔が形成されている。
したがって、モータ載置板６７の下方から長孔６７Ａに向けて取付けボルト６８を差込み、モータ載置板６７を所定位置まで矢印Ａで示す方向に沿ってスライドさせ、ねじ孔に取付けボルト６８をねじ込むことにより、ベース部材４０とモータ載置板６７とを適宜位置に固定することができる。
【００３２】
上記モータ載置板６７のスライドは、図３、図４に示すように、テンション用ボルト７０を操作することにより行うようになっている。
すなわち、テンション用ボルト７０はベース部材４０の一端部の上面に立設された取付台７１のねじ部にねじ込まれるようになっており、テンションボルト７０の先端部が減速機付モータ６１の側面と当接可能となっている。
そのため、テンション用ボルト７０を前進または後退させることにより、ベース部材４０に対してモータ載置板６７をスライドさせることができるようになっている。
そして、これにより、前記原動用スプロケット６３と従動用スプロケット６４間に掛けわたされるチェーン６５のテンション（張力）を調整することができる。
【００３３】
ここで、従動用スプロケット６４と原動用スプロケット６３とは、例えば４：１のギア比に構成されている。そして、原動用スプロケット６３の回転速度が、例えば５ｒｐｍとなるように、モータの回転が減速されるようになっており、その結果、従動用スプロケット６４は、１．２５ｒｐｍの回転速度で回転することになる。つまり、３個のＬＥＤランプ７は、それぞれ１．２５ｒｐｍの回転速度で回転している。
なお、各ＬＥＤランプ７の回転速度は任意の回転速度に変更可能である。
【００３４】
図５に詳細を示すように、前記ロータリ・コネクタ４４の内筒部分４４Ａの端子に接続されるＬＥＤランプ７用の電源ケーブル３３Ａは、横梁部材２６内を配線された電源ケーブル３３からケーブル分岐用の第１端子台７５により分岐されるようになっている。
この第１端子台７５では、ＬＥＤランプ７側に分岐される上記電源ケーブル３３Ａの他、ランプ回転駆動機構６０を構成する減速機付モータ６１側に分岐される電源ケーブル３３Ｂが接続されるようになっている。
【００３５】
すなわち、第１端子台７５は、横梁部材２６の端部に立設された支持部材７６により支持されている。そして、横梁部材２６内を通ってきた電源ケーブル３３が第１端子台７５の一端の入力端子に接続され、第１端子台７５の他端の出力端子から、ロータリ・コネクタ４４側、および減速機付モータ６１側に分岐されるようになっている。
この際、ロータリ・コネクタ４４側に分岐された電線ケーブル３３Ａは、内筒部分４４Ａの端子に接続されており、前述のように、ロータリ・コネクタ４４の外筒部分４４Ｂが回転しても、内筒部分４４Ａは固定されていて回転することがなく、その結果、電線ケーブル３３Ａが捩れることがない。
【００３６】
前記パイプ部材４３においてベース部材４０の裏面に装着された菱フランジ形軸受４２，４２の下方には、上面が前記軸受押さえ４６の下面に当接して、前記従動用スプロケット６４が取付けられている。
また、前述のように、この従動用スプロケット６４にはスペーサ６６を介して円板状フランジ４７が固着されている。ここで、パイプ部材４３の下端は円板状フランジ４７の貫通穴に嵌入され、かつ溶接により円板状フランジ４７に固着されている。
【００３７】
上記円板状フランジ４７の上面には、前記ランプ取付け板５５が固定されている。
このランプ取付け板５５は所定厚さの板部材で形成され、図４に示すように、水平面内で１２０°ずつ均等に三方に分けられた平面略三角形形状に形成されている。そして、三角形のそれぞれの頂点域には、図３に示すように、下方に向けて略直角に折り曲げられた折り曲げ部が形成され、この折り曲げ部がＬＥＤランプ７の取付け部５５Ａとなっている。
【００３８】
図５、図６に示すように、円板状フランジ４７の下面には、蓋７８を備えた四角箱状の端子ボックス７９が取り付けられている。
端子ボックス７９の内部には、パイプ部材４３内に配線された前記ＬＥＤランプ用電源ケーブル３３Ａを３個のＬＥＤランプ７に分岐するための第２端子台８０が配置されている。この第２端子台８０は、円板状フランジ４７の下面に固定された支持部材７６により、端子ボックス７９の内部に宙吊り状態で支持されている。
【００３９】
この第２端子台８０の一端部の２つの端子には、パイプ部材４３内を経由した２本の電源ケーブル３３Ａがそれぞれ接続されるようになっている。そして、第２端子台８０の他端部の３つの端子には、それぞれ３個のＬＥＤランプ７と接続された電源ケーブル３３Ａの端部が接続されるようになっている。
【００４０】
前記端子ボックス７９の３面の側面には、キャプコン（商品名）と呼ばれる配線接続具８２が、それぞれねじ込まれて取付けられている。
この配線接続具８２には、上述のように、３個のＬＥＤランプ７と接続された電源ケーブル３３Ａが挿通され、その端部が第２端子台８０の他端部の３つの端子に接続されるようになっている。
【００４１】
図３に示すように、各ＬＥＤランプ７は、前記ランプ取付け板５５の取付け部５５Ａに当接固定される取付け座７ａと、この取付け座７ａの先端に水平面内で回動可能に設けられた軸部７ｂと、この軸部７ｂに設けられたランプ本体７cとを備えて構成されている。
【００４２】
軸部７ｂには、ランプ本体７cの角度を調整することができるツマミ７dが設けられており、このツマミ７dを操作することにより、図３に仮想線で示すようにランプ本体７cを、垂直面に対して例えば１５°の角度に設定することができる。
なお、３個の各ＬＥＤランプ７，７，７は、図４に示すように、取付け中心Ｐからの取付け距離Ｌが等しく設定されている。
【００４３】
次に、以上のように構成された防犯灯１の作用を説明する。
太陽光パネル部１０の太陽光パネル本体１２により発電された電気はケーブル３３からコンバータ３０を経由してバッテリー３１に送られ、当該バッテリー３１に常時蓄電されている。
【００４４】
今、夕方の設定された時間になり、スイッチ部１５がオンになったら電源ケーブル３３からの電気が第１端子台７５で分岐され、ＬＥＤランプ用電源ケーブル３３Ａと、駆動用電源ケーブル３３Ｂとに流れ、ロータリ・コネクタ４４の内筒部４４Ａの端子に電流が流れると同時に、駆動用電源ケーブル３３Ｂから減速機付モータ６１に電流が流れる。
【００４５】
ロータリ・コネクタ４４の内筒部４４Ａに流れた電気は、ロータリ・コネクタ４４を経由してパイプ部材４３内に配線された上記電源ケーブル３３Ａを経由して第２端子台８０に接続される。
次いで、第２端子台８０で３方に分岐された電源ケーブル３３Ａ，３３Ａ，３３Ａからそれぞれ３個のＬＥＤランプ７に電気が流れ、これにより、それぞれのＬＥＤランプ７が点灯する。
なお、朝になって明るくなったら、スイッチ部１５のスイッチが切られ、３個のＬＥＤランプ７の点灯が自動的に停止される。
【００４６】
同時に、減速機付モータ６１が回転し、その回転により原動用スプロケット６３が回転し、さらにチェーン６５を介して従動用スプロケット６４が回転する。
そのため、３個のＬＥＤランプ７がゆっくりと所定回転速度、例えば１．２５ｒｐｍで回転し、３個のＬＥＤランプ７の下方を連続して照らし出す。
【００４７】
以上のように構成された本第１実施形態の防犯灯１によれば、次のような効果を得ることができる。
（１）防犯灯１が３個のＬＥＤランプ７を備えており、設定された時間にスイッチ部１５によりスイッチが入り、各ＬＥＤランプ７が点灯した後、設定された時間にスイッチが切られるまで、各ＬＥＤランプ７は、常時、所定回転速度で回転している。そのため、一つ一つのＬＥＤランプ７の照射面積は狭いが、ランプの下方は３個のＬＥＤランプ７により連続して照らされることになるので、結果的に照射面積を広くすることができる。そして、明るい場所を提供することができて、防犯に役立つものとなる。
【００４８】
（２）電源として太陽光パネル部１０が利用されているので、外部電源がなくても防犯灯１として使用することができると共に、エコ化を図ることができる。
【００４９】
（３）電源供給部３を構成するバッテリー３１が２個設置されているので、長時間の連続運転が可能となる。
【００５０】
（４）横梁部材２６内に配線された電源ケーブル３３は、第１端子台７５でＬＥＤランプ用の電源ケーブル３３Ａと、モータ用の電源ケーブル３３Ｂとに分岐され、また、パイプ部材４３内に配線された電源ケーブル３３Ａは、第２端子台８０で３個のＬＥＤランプ７に接続される電源ケーブル３３Ａに分岐される。したがって、太陽光パネル６２からの１本の電源ケーブル３３を複数の部材用として容易に利用することができる。
【００５１】
（５）３個のＬＥＤランプ７のランプ本体７ｃは、ランプ７の軸部７ｂに装備されているツマミ７ｄを操作して軸部７ｂに対して角度調整をすることができるようになっているので、それぞれのＬＥＤランプ７の角度を異なる角度とすることで、連続して回転する各ＬＥＤランプ７，７，７によって照射される光の幅を広くすることができ、これにより、照射面積を大幅に広くすることができる。
【００５２】
（６）３個のＬＥＤランプ７が、ランプ保持機構４の取付け中心Ｐの周りを、所定の回転速度、例えば１．２５ｒｐｍで回転するので、見た目にも面白く、初めて見た人は立ち止まって見上げる等、注目度も上がり、防犯上も優れた防犯灯１とすることができる。
【００５３】
次に、図７、図８に基づいて、本発明に係る防犯灯の第２実施形態を説明する。
なお、第２実施形態の防犯灯１Ａにおいて前記第１実施形態の防犯灯１と同一の構造および同一の使用部材には同一符号を付し、詳細な説明は異なる部分のみについて行う。
【００５４】
第２実施形態の防犯灯１Ａは、３個設けられたＬＥＤランプ７Ａ，７Ｂ，７Ｃの取付け中心Ｐからの距離をそれぞれ異なる寸法に設定したものである。
すなわち、第１のＬＥＤランプ７Ａの取付け中心Ｐからの距離がＬ１に設定されているのに対し、図８の左回り方向に配置された第２のＬＥＤランプ７Ｂの取付け中心Ｐからの距離がＬ２に設定され、同様に、第３のＬＥＤランプ７Ｃの取付け中心Ｐからの距離がＬ３に設定されている。
そのため、各ＬＥＤランプ７Ａ，７ｂ，７Ｃを取付けるランプ取付け板８５は、前記第１実施形態のランプ取付け板５５に対して変形した略三角形形状となっており、当該三角形のそれぞれの頂点域にＬＥＤランプ７Ａ等を取付ける取付け部８５Ａが形成されている。
【００５５】
各ＬＥＤランプ７Ａ，７ｂ，７Ｃが以上のように配置されており、それぞれが取付け中心Ｐの回りを回転するので、図７に示すように、各ＬＥＤランプ７Ａ，７ｂ，７Ｃによって照射される光の幅が、取付け中心Ｐからの距離Ｌ１とＬ３とにわたる寸法の幅を形成するので、照射面積が大幅に増大する。
【００５６】
そして、この第２実施形態においても、前記第１実施形態の図３で示したように、３個のＬＥＤランプ７のそれぞれの角度調整が可能となっており、それぞれを同じ角度、あるいは異なる角度に設定することができる。
【００５７】
以上のように構成された本第２実施形態の防犯灯１Ａによれば、前記（１）〜（６）と同様の効果の他、次のような効果が得られる。
（７）３個設けられたＬＥＤランプ７Ａ，７ｂ，７Ｃの取付け中心Ｐからの距離が、それぞれＬ１，Ｌ２，Ｌ３と、異なる寸法に設定されており、それぞれが取付け中心Ｐの回りを回転するので、各ＬＥＤランプ７Ａ，７ｂ，７Ｃによって照射される光の幅が、取付け中心Ｐからの距離Ｌ１とＬ３とにわたる寸法の幅に形成される。その結果、照射面積が大幅に増大する。
【００５８】
以上、上記各実施形態を参照して本発明を説明したが、本発明は各実施形態に限定されるものではない。本発明の構成や詳細については、当業者が理解し得るさまざまな変更を加えることができる。また、本発明には、上記各実施形態の構成の一部又は全部を相互に適宜組み合わせたものも含まれる。
【００５９】
例えば、前記第１、第２実施形態では、ＬＥＤランプ７を３個配置したが、複数個であれば例えば２個でもよいが、３個以上、例えば９０°ずつの均等位置に４個配置してもよい。
【００６０】
また、前記各実施形態では、電源供給部３を構成するバッテリー３１を２個配置したが、これに限らない。より長時間の運転が可能となるように、３個、４個あるいはそれ以上設けてもよい。但し、この場合は、下部柱２０内に収納することが困難となるので、下部柱２０の下部に当該下部柱２０を覆うようなバッテリー収納用の格納庫を設けるようにすることもできる。
【００６１】
さらに、前記各実施形態では、回転力伝達機構６２を従動用スプロケット６４と原動用スプロケット６３およびこれらの各スプロケット６４，６３間に掛けわたされたチェーン６５で構成したが、これに限らない。例えば、平ベルト車および平ベルト、あるいはＶベルト車およびＶベルトを用いた回転力伝達機構としてもよい。
【００６２】
また、前記各実施形態では、ロータリ・コネクタ４４の内筒部分を固定するためのストッパ部材５３をベース部材４０に設けたが、これに限らない。例えば、横梁部材２６に設けてもよい。
【００６３】
また、前記各実施形態では、ランプ取付け板５５のランプ取付け部５５Ａは、略三角形形状の各頂点部を下方に向けて折り曲げて形成されているが、これに限らない。ランプ取付け板のランプ取付け部を折り曲げずに、３個のＬＥＤランプ７をランプ取付け板の外周３等分位置の裏面に直接取付けるようにしてもよい。このようにすれば、折り曲げ作業の手間が省ける。
【産業上の利用可能性】
【００６４】
本願発明は、道路脇や公園、団地の出入り口等に防犯灯として設置する際に利用することができる。
【符号の説明】
【００６５】
１  防犯灯
２  支持柱
３  電源供給部
４  ランプ保持機構
５  回転機構部
６  固定機構部
７  ＬＥＤランプ
１０  太陽光パネル部
１５  スイッチ部
３０  コンバータ
３１  バッテリー
３２  インバータ
４０  ベース部材
４２  菱フランジ型軸受
４３  パイプ部材
４４  ロータリ・コネクタ
４５  ロータリ・コネクタ用カップリング
４７  円板状フランジ
５３  ストッパ部材
５５  ＬＥＤランプ取付け板
６０  ランプ回転駆動機構
６１  減速機付きモータ
６２  回転力伝達機構
６３  原動用スプロケット
６４  従動用スプロケット
６５  動力伝達部材であるチェーン
７０  テンション用ボルト
７５  第１端子台
７９  端子ボックス
８０  第２端子台
Ａ  スライド方向
Ｐ  取付け中心
【図１】
2012238475.tif 000003
【図２】
2012238475.tif 000004
【図３】
2012238475.tif 000005
【図４】
2012238475.tif 000006
【図５】
2012238475.tif 000007
【図６】
2012238475.tif 000008
【図７】
2012238475.tif 000009
【図８】
2012238475.tif 000010